(57)【要約】【課題】加熱効率が高く、信頼性に優れた電気加熱調理器を提供する。【解決手段】加熱室５１を形成する内筐体５０と、内筐体５０に設けた回転軸部６４に回動自在に軸支されると共に内筐体５０の開口５０ａを開閉する扉６０と、内筐体５０内の上下に配された上・下ヒーター５２、５３間に配された焼き網５４と、焼き網５４の後部を支持する網棒５５と、扉６０に設けられ焼き網５４の前部が掛止される取付板６１とを有し、網棒５４は、略コ字状に折曲してその中央を焼き網５４を支持する焼き網支持部５６とし、折り曲げられた両側部５５ａを水平方向に折り曲げて回動軸部５７を形成し、更に回動軸部５７のそれぞれの端部を焼き網支持部５６側に折曲げて延出部５８を形成し、両回動軸部５７を内筐体５０の下部で回動自在に軸止し、網棒５５を常時後方へ付勢するドアばね５９を設けたもので、網棒５５の両端部を摺動自在に支持する開口が不要になる。【選択図】図１
2006308155.tif 000002
【特許請求の範囲】
【請求項１】
前面に開口を有する加熱室を形成する内筐体と、前記内筐体に設けた回転軸部に回動自在に軸支され前記開口を開閉する扉と、前記内筐体内の上下に配された上・下ヒーターと、前記上・下ヒーター間に配された焼き網と、該焼き網の後部を支持する網棒と、前記扉に設けられ前記焼き網の前部が掛止される取付板とを有し、前記網棒は、略コ字状に折曲してその中央を前記焼き網を支持する焼き網支持部とし、折り曲げられた両側部を水平方向に折り曲げて回動軸部を形成し、更に前記回動軸部のそれぞれの端部を前記焼き網支持部側に折曲げて延出部を形成し、前記網棒の両回動軸部を前記内筐体の下部で回動自在に軸止すると共に、一端が前記延出部に掛止され、他端が前記内筐体に掛止されて前記網棒を常時後方へ付勢するドアばねを設けた電気加熱調理器。
【請求項２】
網棒の後方への回動を規制するストッパーＡと前方への回動を規制するストッパーＢをそれぞれ設け、前記網棒の焼き網支持部と回動軸部間との間の距離と、焼網の前部と取付板との掛止部と扉の回転軸部との間の距離を略同一に設定した請求項１に記載の電気加熱調理器。
【発明の詳細な説明】
【技術分野】
【０００１】
本発明は、一般家庭用のオーブントースター等に用いる焼き網を備えた電気加熱調理器に関するものである。
【背景技術】
【０００２】
従来、この種の電気加熱調理器に用いられる焼き網の後方部は、内筐体の両側壁に設けた長穴内を摺動し、その前部を扉に設けた取付板に掛止して、扉の開閉に連動して焼き網を前後に摺動させるのが一般的な構成であった（例えば、特許文献１参照）。
【０００３】
図５は、前記特許文献１に記載された従来の電気加熱調理器を示すものである。同図において、２４は前面に開口を有する加熱室２２を形成する内筐体で、内部に上、下ヒーター３３、３４を備えている。２３は扉で前記開口を開閉自在に設けている。焼き網２７の後方は、内筐体２４の両側壁に設けた長穴２４ｃ内を摺動し、前部は、扉２３に取付けた金具２６に嵌合して、扉２３の開閉に連動して焼き網２７を前後に移動させるようにしている。
【特許文献１】特開平９−３７９６２号公報（第５頁、第１図）
【発明の開示】
【発明が解決しようとする課題】
【０００４】
しかしながら、前記従来の電気加熱調理器の構成では、加熱室２２内の熱が長穴２４ｃから加熱室２２の外へ排出されるので加熱効率が悪くなったり、加熱室２２の側方に取付けた制御部品（図示せず）が加熱されやすくなり、故障する原因になるという課題を有していた。
【０００５】
本発明は、前記従来の課題を解決するもので、加熱室内の熱が加熱室外へ逃げにくくして加熱効率を高めるとともに、制御部品等への熱の影響を少なくして耐久性の優れた電気加熱調理器を提供することを目的とするものである。
【課題を解決するための手段】
【０００６】
前記従来の課題を解決するために、本発明の電気加熱調理器は、前面に開口を有する加熱室を形成する内筐体と、前記内筐体に設けた回転軸部に回動自在に軸支され前記開口を開閉する扉と、前記内筐体内の上下に配された上・下ヒーターと、前記上・下ヒーター間に配された焼き網と、該焼き網の後部を支持する網棒と、前記扉に設けられ前記焼き網の前部が掛止される取付板とを有し、前記網棒は、略コ字状に折曲してその中央を前記焼き網を支持する焼き網支持部とし、折り曲げられた両側部を水平方向に折り曲げて回動軸部を形成し、更に前記回動軸部のそれぞれの端部を前記焼き網支持部側に折曲げて延出部を形成し、前記網棒の両回動軸部を前記内筐体の下部で回動自在に軸止すると共に、一端が前記延出部に掛止され、他端が前記内筐体に掛止されて前記網棒を常時後方へ付勢するドアばねを設けたもので、網棒の両端部を摺動自在に支持する開口部を内筐体の側壁に設ける必要がなくなるので、内筐体内の熱が外に逃げず、加熱効率が向上し、又、加熱室の外に設けた制御部品等への熱による影響が軽減され、耐久性に優れた電気加熱調理器を提供することができる。
【発明の効果】
【０００７】
本発明の電気加熱調理器は、網棒の両端部を摺動自在に支持する開口部を内筐体の側壁に設ける必要がなくなるので、内筐体内の熱が外に逃げず、加熱効率が向上し、又、加熱室の外に設けた制御部品等への熱による影響が軽減され、耐久性に優れたものである。
【発明を実施するための最良の形態】
【０００８】
第１の発明は、前面に開口を有する加熱室を形成する内筐体と、前記内筐体に設けた回転軸部に回動自在に軸支され前記開口を開閉する扉と、前記内筐体内の上下に配された上・下ヒーターと、前記上・下ヒーター間に配された焼き網と、該焼き網の後部を支持する網棒と、前記扉に設けられ前記焼き網の前部が掛止される取付板とを有し、前記網棒は、略コ字状に折曲してその中央を前記焼き網を支持する焼き網支持部とし、折り曲げられた両側部を水平方向に折り曲げて回動軸部を形成し、更に前記回動軸部のそれぞれの端部を前記焼き網支持部側に折曲げて延出部を形成し、前記網棒の両回動軸部を前記内筐体の下部で回動自在に軸止すると共に、一端が前記延出部に掛止され、他端が前記内筐体に掛止されて前記網棒を常時後方へ付勢するドアばねを設けたもので、網棒の両端部を摺動自在に支持する開口部を内筐体の側壁に設ける必要がなくなるので、内筐体内の熱が外に逃げず、加熱効率が向上し、又、加熱室の外に設けた制御部品等への熱による影響が軽減され、耐久性に優れた電気加熱調理器を提供することができる。
【０００９】
第２の発明は、特に、第１の発明の網棒の後方への回動を規制するストッパーＡと前方への回動を規制するストッパーＢをそれぞれ設け、前記網棒の焼き網支持部と回動軸部間との間の距離と、焼網の前部と取付板との掛止部と扉の回転軸部との間の距離を略同一に設定したもので、ストッパーＡとストッパーＢにより、焼網の前後方向での移動範囲が所定の範囲内に規制されるので、扉が必要以上に開いたりすることが無く、また、網棒の焼き網支持部と回動軸部間との間の距離と、焼網の前部と取付板との掛止部と扉の回転軸部との間の距離と略同一に設定しているので、焼き網が扉の回動時常に平行な状態に保たれ、焼き網に載置した被調理物やそれを載せたトレーがずれ落ちたりせず、安全で加熱効率の高い電気加熱調理器とすることができる。
【００１０】
以下、本発明の実施の形態について図面を参照しながら説明する。なお、この実施の形態により本発明が限定されるものではない。
【００１１】
（実施の形態１）
図１は、本発明の第１の実施の形態における電気加熱調理器の扉閉止時の断面図、図２は、同電気加熱調理器の扉開放時の断面図、図３は、同電気加熱調理器の網棒の斜視図、図４は、同電気加熱調理器の正面図である。
【００１２】
図１〜４において、５０は、前面に開口５０ａを有する加熱室５１を形成する内筐体で、内筐体５０内の上下に上ヒーター５２と下ヒーター５３が配され、上・下ヒーター５２、５３間には焼き網５４が配されている。５５は網棒で、中央部を略コ字状に折曲して焼き網５４の後部を引っ掛けて支持する焼き網支持部５６を形成すると共に、折り曲げて形成された両側部５５ａを更に水平方向に折り曲げて回動軸部５７を設け、更に上方、すなわち焼き網支持部５６側に折り曲げて延出部５８を形成している。
【００１３】
この延出部５８には、一端が前記内筐体５０に掛止されたドアばね５９の他端が掛止されている。網棒５５の回動軸部５７は、内筐体５０の下部に設けた穴５０ｂで回動自在に軸支されている。
【００１４】
６０は扉で、内筐体５０に設けた回転軸部６４に回動自在に設けられ、内筐体５０の開口５０ａを開閉するものである。６１は扉６０に取付けられた取付板で、焼き網５４の前部が掛止されている。６２はストッパーＡ、６３はストッパーＢで共に内筐体５０に設けられ、網棒５５の後方回動及び前方回動を規制している。網棒５５の回動軸部５７と焼き網支持部５６との間の距離と、扉６０の回転軸部６４と取付板６１の焼き網５４の前部が掛止されている部分との間の距離を略同一に設定している。
【００１５】
そして焼き網５４の後部を網棒５５の焼き網支持部５６に引っ掛けて支持し、焼き網５４の前部を扉６０の取付板６１に掛止して、扉６０の回動に連動して、焼き網５４が内筐体５０内を前後に移動するように電気加熱調理器を構成している。
【００１６】
以上のように構成された電気加熱調理器について、以下その動作、作用を説明する。
【００１７】
まず、扉６０を開放して、焼き網５４の後部を網棒５５の焼き網支持部５６に引っ掛け、焼き網５４の前部を扉６０の取付板６１に掛止する。この状態で扉６０を閉止すると、網棒５５はドアばね５９により後方に回動し、ストッパーＡ６２で停止する。また扉６０を開放していくと網棒５５はストッパーＢ６３に当たり回動を停止し、扉６０は止ることとなる。
【００１８】
以上のように、本実施の形態によれば、扉６０の開閉に連動して移動する焼き網５４の後部を、網棒５５の焼き網支持部５６に引っ掛けて支持するようにし、前部を扉６０の取付板６１に掛止するようにしたことにより、内筐体５０に余分な開口を設ける必要がなくなり、加熱効率の高い電気加熱調理器を提供することができる。
【００１９】
又焼き網５４の焼き網支持部５６と回動軸部５７と間の距離と、扉６０の回転軸部６４と取付板６１の焼き網５４の前部が掛止されている部分との距離を略同一に設定しているので、扉６０を回動させて、焼き網５４を移動させるとき、焼き網５４は常に水平状態に保たれ、焼き網５４に被調理物を載せても滑り落ちたりせず、安全な電気加熱調理器を提供することができる。
【産業上の利用可能性】
【００２０】
以上のように、本発明にかかる電気加熱調理器は、焼き網の移動を案内するための開口を内筐体に設ける必要が無いので、加熱室内の熱が逃げず加熱効率を高くすることが可能となるので、オーブンやロースター等各種電気加熱調理器に適用できる。
【図面の簡単な説明】
【００２１】
【図１】本発明の実施の形態１における電気加熱調理器の扉閉止時の断面図
【図２】同電気加熱調理器の扉開放時の断面図
【図３】同電気加熱調理器の網棒の斜視図
【図４】同電気加熱調理器の正面図
【図５】従来の電気加熱調理器の断面図
【符号の説明】
【００２２】
５０  内筐体
５０ａ  開口
５１  加熱室
５２  上ヒーター
５３  下ヒーター
５４  焼き網
５５  網棒
５５ａ  側部
５６  焼き網支持部
５７  回動軸部
５８  延出部
５９  ドアばね
６０  扉
６４  回転軸部
【図１】
2006308155.tif 000003
【図２】
2006308155.tif 000004
【図３】
2006308155.tif 000005
【図４】
2006308155.tif 000006
【図５】
2006308155.tif 000007